(57)【要約】【課題】  排尿時に従来よりも気持ちが悪い思いをしにくい尿吸収パッドを提供しようとするもの。【解決手段】  尿が放出される肌面側１に配された両面パイル織物２と、内側にパイル織物３が積層された裏面側４の撥水素材５とを具備すると共に、前記パイル織物は保水性繊維からなる。放出された尿を吸収する保水体９の挿入口10を具備すると共に、前記保水体９は肌面側１の両面パイル織物２と裏面側４の撥水素材５の内側に積層されたパイル織物３との間に収容するようにし、尿漏れの量に応じて保水体９の保水量をアジャストして収容できるようにしてもよい。【選択図】  図１
2005261547.tif 000002
【特許請求の範囲】
【請求項１】
尿が放出される肌面側１に配された両面パイル織物２と、内側にパイル織物３が積層された裏面側４の撥水素材５とを具備すると共に、前記パイル織物は保水性繊維からなることを特徴とする尿吸収パッド。
【請求項２】
放出された尿を吸収する保水体９の挿入口10を具備すると共に、前記保水体９は肌面側１の両面パイル織物２と裏面側４の撥水素材５の内側に積層されたパイル織物３との間に収容するようにし、尿漏れの量に応じて保水体９の保水量をアジャストして収容できるようにした請求項１記載の尿吸収パッド。
【発明の詳細な説明】
【技術分野】
【０００１】
この発明は、人間やペットに好適に適用することができる尿吸収パッドに関するものである。
【背景技術】
【０００２】
従来より、赤ちゃんのおしめや介護用のおむつ、外出時の失禁パッドなどのような尿吸収パッドが知られている。
【０００３】
図６に示すように、前記尿吸収パッドは肌面側のメッシュ素材21と裏面側の撥水素材22とこれらの内層に収容される不織布からなる吸水素材（図示せず）とから構成されている（例えば、非特許文献１参照）。
【０００４】
しかし、排尿時に尿が尿吸収パッドの肌面側で飛びはねて気持ちが悪い思いをするという問題があった。
【非特許文献１】株式会社OCC情報通信環境事業部ホームページ、“布製尿取りパッド”、[online]、[2004/3/11検索]、インターネット＜ＵＲＬ：http://www.ocps-diap.com/item/thermodaia#softdaia.html＞
【発明の開示】
【発明が解決しようとする課題】
【０００５】
そこでこの発明は、排尿時に従来よりも気持ちが悪い思いをしにくい尿吸収パッドを提供しようとするものである。
【課題を解決するための手段】
【０００６】
前記課題を解決するためこの発明では次のような技術的手段を講じている。
【０００７】
(１)この発明の尿吸収パッドは、尿が放出される肌面側に配された両面パイル織物と、内側にパイル織物が積層された裏面側の撥水素材とを具備すると共に、前記パイル織物は保水性繊維からなることを特徴とする。
【０００８】
従来は放出された尿がメッシュ素材の網目に当たって乱反射ししぶきが肌に跳ね返って不快であったが、この尿吸収パッドは尿が放出される肌面側に保水性繊維からなる両面パイル織物が配されたので、放出された尿をパイルで速やかに吸収し尿の跳ね返りを抑えることができる。なお、肌面側に配された両面パイル織物と裏面側の撥水素材の内側に積層されたパイル織物とはパイル同士が摩擦してずれにくくなり、一回使用した後に洗濯をしても型崩れが生じにくく好適に再利用（リユース）することができる。
【０００９】
前記パイル織物として、例えばタオル生地を用いることができる。また前記保水性繊維として、綿やレーヨンなどの高吸水性繊維を例示することができる。
【００１０】
(２) 放出された尿を吸収する保水体の挿入口を具備すると共に、前記保水体は肌面側の両面パイル織物と裏面側の撥水素材の内側に積層されたパイル織物との間に収容するようにし、尿漏れの量に応じて保水体の保水量をアジャストして収容できるようにしたこととしてもよい。
【００１１】
使用者（人間の他に犬その他のペットも含む）により又その時の体調等により尿の放出量が異なるが、前記のように構成すると、自分（又はペット）の尿の放出量（尿洩れの量）に合わせて収容する保水体（ティッシュやパイル生地など）の大きさ（厚みや幅）や枚数を調整（加減）し保水量を調節することができ、量が多い場合と少ない場合のアジャストをすることができる。すなわち、使用者それぞれの使用時の状況に応じた尿漏れの量に合うように保水体の保水量をアジャストすることができ、尿吸収パッドが必要以上に嵩張ることを防止して快適な態様で使用することができる。また前記保水体は、パッドのパイル（立体構造であって摩擦が大きい）により挟持されるので使用時にずれにくく偏りにくい。
【００１２】
（３）なお、前記肌面側の両面パイル織物と裏面側の撥水素材の内側に積層されたパイル織物との間に、放出された尿を吸収する保水体を収容するようにし、前記肌面側の両面パイル織物と裏面側の撥水素材の内側に積層されたパイル織物との間に、放出された尿を吸収する保水体を収容するように構成すると、次の通りである。
【００１３】
すなわち、前記保水体として両面パイル織物素材を用いてその両側面がパイル面同士で挟持されるようにすると、肌面側に配された両面パイル織物と裏面側の撥水素材の内側に積層されたパイル織物との間に収容する保水体は両面パイル織物素材とし、収容された保水体の両面パイル織物素材の両側面はパイル面同士で挟持されるようにしており、保水体の両面パイル織物素材の両側面の立体構造はパイル面同士の立体構造で相互に干渉し合い摩擦が大きい状態で挟持されることとなるので、収容された保水体はパッド内面に対してずれ難く、就寝の際や外を出歩く際などにも違和感が生じにくく気持ちよく着用することができる。前記両面パイル織物素材の保水体は、必要な保水量に応じて１枚又は２枚以上として収容することができる。
【発明の効果】
【００１４】
この発明は上述のような構成であり、次の効果を有する。
【００１５】
放出された尿をパイルで速やかに吸収し尿の跳ね返りを抑えることができるので、排尿時に従来よりも気持ちが悪い思いをしにくい尿吸収パッドを提供することができる。
【発明を実施するための最良の形態】
【００１６】
以下、この発明の実施の形態を図面を参照して説明する。
【００１７】
（実施形態１）
図１乃至図３に示すように、この実施形態の尿吸収パッドはパンツの内面などに両面接着テープなどで貼り付けて使用するものであり、尿が放出される肌面側１に配された両面パイル織物２と、内側にパイル織物３（片面パイル織物）が積層（ラミネート）された裏面側４の撥水素材５（防水性シート）とを具備すると共に、前記パイル織物は保水性繊維からなる。
【００１８】
この尿吸収パッドは略瓢箪形状としており、その外周はバイアス生地６を設けて縫製７している。なお適用対象は男女は問わず、また犬などのペットに使用することもできる。
【００１９】
前記パイル織物は布の表面に輪奈（ループ８）や毛羽（細かい毛状のものや短い繊維）を織り出した織物であり、前記パイルは織物の地組織から突き出て布の表面を覆っている輪奈や毛羽である。前記パイル織物として、例えばタオル生地を用いることができる。また前記保水性繊維として、綿やレーヨンなどの高吸水性繊維を例示することができる。
【００２０】
ここで、前記肌面側１の両面パイル織物２と裏面側４の撥水素材５の内側に積層されたパイル織物３との間に保水体としてパイル織物やティッシュなどを収容するような構造としてもよい。
【００２１】
次に、この実施形態の尿吸収パッドの使用状態を説明する。
【００２２】
従来は放出された尿がメッシュ素材の網目に当たって乱反射ししぶきが肌に跳ね返って不快であったが、この尿吸収パッドは尿が放出される肌面側１に保水性繊維からなる両面パイル織物２が配されたので、放出された尿をパイルのループ８で速やかに吸収し尿の跳ね返りを抑えることができ、排尿時に従来よりも気持ちが悪い思いをしにくいという利点がある。
【００２３】
また、肌面側１に配された両面パイル織物２と裏面側４の撥水素材５の内側に積層されたパイル織物３とはパイルのループ８同士が摩擦してずれにくくなり、一回使用した後に洗濯をしても型崩れが生じにくく好適に再利用（リユース）することができる。さらにパイル織物のループ８は肌に対してずれにくく、ネットやガーゼのように平面で肌に当たる場合よりも肌触りがよかった。
【００２４】
なお、女性の生理（おりもの）時など特殊な際には、肌と尿吸収パッド（おりものにより相互間が付着する傾向がある）との剥離性をよくするためにパッド表面に荒いネットとかガーゼを例外的に介在させてもよい。
【００２５】
（実施形態２）
実施形態２の尿吸収パッドは、肌面側１に配された両面パイル織物２と裏面側４の撥水素材５の内側に積層されたパイル織物３との間に他のパイル織物や保水体（吸水素材）を収容するようにした点で前記実施形態１と異なる。
【００２６】
図４及び図５に示すように、この実施形態の尿吸収パッドはパンツの内面などに両面接着テープなどで貼り付けて使用するものであり、尿が放出される肌面側１に配された両面パイル織物２と、内側にパイル織物３（片面パイル織物）が積層（ラミネート）された裏面側４の撥水素材５（防水性シート）とを具備すると共に、前記パイル織物は保水性繊維からなる。
【００２７】
この尿吸収パッドは略瓢箪形状としており、その外周はバイアス生地６を設けて縫製７している。なお適用対象は男女は問わず、また犬などのペットに使用することもできる。
【００２８】
前記パイル織物は布の表面に輪奈（ループ８）や毛羽（細かい毛状のものや短い繊維）を織り出した織物であり、前記パイルは織物の地組織から突き出て布の表面を覆っている輪奈や毛羽である。前記パイル織物として、例えばタオル生地を用いることができる。また前記保水性繊維として、綿やレーヨンなどの高吸水性繊維を例示することができる。
【００２９】
そして、放出された尿を吸収する保水体９（ティッシュやパイル生地など）の挿入口10を具備すると共に、前記保水体９は肌面側１の両面パイル織物２と裏面側４の撥水素材５の内側に積層されたパイル織物３との間に収容するようにし、尿漏れの量に応じて保水体９の保水量をアジャストして収容できるようにしている。
【００３０】
なお、前記肌面側１の両面パイル織物２と裏面側４の撥水素材５の内側に積層されたパイル織物３との間に、放出された尿を吸収する保水体９を収容すると共に、前記保水体９として両面パイル織物素材を用いてその両側面がパイル面同士で挟持されるようにしてもよい（放出された尿を吸収する保水体９は、パッドの挿入口10から挿入する）。前記保水体９として両面パイル織物素材を挿入すると、相互のパイル面間に摩擦があってずれにくい。
【００３１】
次に、この実施形態の尿吸収パッドの使用状態を説明する。
【００３２】
従来は放出された尿がメッシュ素材の網目に当たって乱反射ししぶきが肌に跳ね返って不快であったが、この尿吸収パッドは尿が放出される肌面側１に保水性繊維からなる両面パイル織物２が配されたので、放出された尿をパイルのループ８で速やかに吸収し尿の跳ね返りを抑えることができ、排尿時に従来よりも気持ちが悪い思いをしにくいという利点がある。
【００３３】
また、肌面側１に配された両面パイル織物２と裏面側４の撥水素材５の内側に積層されたパイル織物３とはパイルのループ８同士が摩擦してずれにくくなり、一回使用した後に洗濯をしても型崩れが生じにくく好適に再利用（リユース）することができる。さらにパイル織物のループ８は肌に対してずれにくく、ネットやガーゼのように平面で肌に当たる場合よりも肌触りがよかった。
【００３４】
そのうえ、使用者（人間の他に犬その他のペットも含む）により又その時の体調等により尿の放出量が異なるが、この実施形態では自分（又はペット）の尿の放出量（尿洩れの量）に合わせて収容する保水体９（ティッシュやパイル生地など）の大きさ（厚みや幅）や枚数を調整（加減）し保水量を調節することができ、量が多い場合と少ない場合のアジャストをすることができる。具体的には、尿漏れ量が５０〜１００ｃｃだったらパイル生地１枚、１５０〜２００ｃｃだったらパイル生地２枚重ね、２５０ｃｃ以上だったらパイル生地３枚重ねなどとして保水量をアジャストすることができる。
【００３５】
すなわち、使用者それぞれの使用時の状況に応じた尿漏れの量に合うように保水体９の保水量をアジャストすることができ、尿吸収パッドが必要以上に嵩張ることを防止して快適な態様で使用することができる。この尿吸収パッドは、長期の携帯例えばバス旅行その他各種旅行でも好適に使用することができる。また前記保水体９は、パッドのパイル（立体構造であって摩擦が大きい）により挟持されるので使用時にずれにくく偏りにくい。
【００３６】
なお、女性の生理（おりもの）時など特殊な際には、肌と尿吸収パッド（おりものにより相互間が付着する傾向がある）との剥離性をよくするためにパッド表面に荒いネットとかガーゼを例外的に介在させてもよい。
【００３７】
また、肌面側１に配された両面パイル織物２と裏面側４の撥水素材５の内側に積層されたパイル織物３との間に収容する保水体９は両面パイル織物素材とし、収容された保水体９の両面パイル織物素材の両側面はパイル面同士で挟持されるようにすると、保水体９の両面パイル織物素材の両側面の立体構造はパイル面同士の立体構造（ループ８同士）で相互に干渉し合い摩擦が大きい状態で挟持されることとなるので、収容された保水体９はパッド内面に対してずれ難く、就寝の際や外を出歩く際などにも違和感が生じにくく気持ちよく着用することができる。前記両面パイル織物素材の保水体９は、必要な保水量に応じて１枚又は２枚以上として収容することができる。なお、洗濯する際には収容した保水体９はパッドから取り出して別々に行う。
【産業上の利用可能性】
【００３８】
放出された尿をパイルで速やかに吸収し尿の跳ね返りを抑えることができ排尿時に従来よりも気持ちが悪い思いをしにくく、人間やペットの尿吸収パッドの用途として広く適用することができる。
【図面の簡単な説明】
【００３９】
【図１】この発明の尿吸収パッドの実施形態１で肌面側を説明する斜視図。
【図２】図１の尿吸収パッドの裏面側を説明する斜視図。
【図３】図１の尿吸収パッドの断面図。
【図４】この発明の尿吸収パッドの実施形態２を説明する斜視図。
【図５】図３の尿吸収パッドの断面図。
【図６】従来の尿吸収パッドを説明する斜視図。
【符号の説明】
【００４０】
１  肌面側
２  両面パイル織物
３  パイル織物
４  裏面側
５  撥水素材
９  保水体
10  挿入口
【図１】
2005261547.tif 000003
【図２】
2005261547.tif 000004
【図３】
2005261547.tif 000005
【図４】
2005261547.tif 000006
【図５】
2005261547.tif 000007
【図６】
2005261547.tif 000008